(57)【特許請求の範囲】
【請求項１】
支持台と、該支持台に着脱可能な複数の被心出し部材と、該被心出し部材を所定方向に押圧するように前記支持台上に配設された弾性部材と、該弾性部材の押圧力に抗して前記被心出し部材を動かして心出しし所定位置に保持する心出し手段とを有する光学装置の心出し機構において、
前記心出し手段が、前記支持台に配設された複数の間接部材を介して、前記被心出し部材を移動させて、所定位置に保持するように構成されるとともに、互いに隣接する前記被心出し部材の前記間接部材が立体的に交差して配置されていることを特徴とする光学装置の心出し機構。
【請求項２】
支持台と、該支持台に設けられた複数の被心出し部材と、該被心出し部材を所定方向に押圧する弾性部材と、該弾性部材の押圧力に抗して前記被心出し部材を動かして心出しし所定位置に保持する心出し手段とを有する光学装置の心出し機構において、
互いに隣接する前記被心出し部材の前記心出し手段による心出し方向が、平面的に見て交差していることを特徴とする光学装置の心出し機構。
【請求項３】
前記心出し方向が交差した心出し手段は間接部材を備え、この間接部材が立体的に交差して配設されていることを特徴とする請求項２記載の光学装置の心出し機構。
【請求項４】
前記心出し手段は、心出し操作を行う操作位置と操作を行わない退避位置を選択的に取り得る一対の操作軸を有し、前記一対の操作軸が退避位置にある状態で前記支持台を移動させることにより、心出しされる被心出し部材を切換え可能であることを特徴とする請求項１乃至３記載の光学装置の心出し機構。
【発明の詳細な説明】
【０００１】
【発明の属する技術分野】
本発明は、顕微鏡のコンデンサなどの光学装置に係わり、詳しくは光学素子の心出しを行う光学装置の心出し機構に関する。
【０００２】
【従来の技術】
従来、光学装置の心出し機構に関しては、顕微鏡用ターレットコンデンサとして、特開平３−１５７６０９号公報所載の技術（従来技術１）が開示されている。その中に光学装置の心出し機構が開示されており、図１０を用いてこれを説明する。図１０において、ターレット１０１には、顕微鏡観察用の光学素子を装着するための複数の穴１０２が穿設されている。各穴１０２の外周接線方向であって、穴１０２の若干内側に、板バネ１０３が配設され、板バネ１０３は穴１０２の半径方向に若干変形でき、各穴１０２に装着された光学素子を押圧できるようになっている。また、ターレット１０１の外周面には、各穴１０２に対してそれぞれ一対のビス１０４が螺合できるように、ネジ孔１０５が穿設されている。工具などを使用し、一対のビス１０４を回すことによって、ビス１０４が穴１０２に装着された光学素子の外周に当たり、光学素子を押して移動させることが可能になっている。
【０００３】
上記従来技術１によれば、光学素子、例えば位相差観察用の位相差リングスリットを穴に装着した場合、一対のビスおよび板バネの作用により、位相差リングスリットを心出しできるものである。しかし、上記従来技術１では、心出しを行う度に工具を取ってビスを回す必要があり、煩雑になるという問題があった。
【０００４】
この問題を改善した心出し機構として、特開平８−２４８３２３号公報所載の技術（従来技術２）が開示されている。図１１を用いてこの技術を説明する。図１１に示すように、この心出し機構は、任意の光学装置に取付け可能な複数の被心出し部材１１１を有する被心出し手段１１２と、この被心出し手段１１２上に設けられ、複数の被心出し部材１１１を所定方向に押圧する弾性押圧部材１１３と、光学装置に対して着脱自在に構成され、心出し操作時において、弾性押圧部材１１３の押圧力に抗して被心出し部材１１１を所定方向に押圧して、所定位置に心出しする心出し手段１１４とを備えている。
【０００５】
この従来技術２を顕微鏡用コンデンサに適用すれば、例えば、位相差リングスリットや暗視野リングスリットなどの被心出し部材に対して、心出し操作ができるようになる。そして、従来技術１と比較して、従来技術２は心出し手段が光学装置に設けられているので、操作性が向上している。
【０００６】
【発明が解決しようとする課題】
顕微鏡観察においては、位相差リングスリット、暗視野リングスリットまたはノマルスキープリズムなどの光学素子をコンデンサに装着することによって、顕微鏡の透過照明システムを利用して、いろいろな顕微鏡観察ができるようになる。コンデンサに設けられた穴の数によって、コンデンサに同時に装着できる光学素子の数が決まり、コンデンサの顕微鏡への１回の取付けで可能な観察法も、この穴の数に制限される。従って、コンデンサの顕微鏡への１回の取付けで多くの観察法ができるようにしたい場合、できるだけコンデンサに多くの穴を設ける必要がある。この場合、上記従来技術１および２をそのまま使用すると、つぎのような問題点が発生する。
【０００７】
▲１▼  従来技術１および２による心出し機構は、心出し用のビスまたは心出し手段が、直接被心出し部材である光学素子を移動するように構成されているので、図１２に示すように、コンデンサに穴を多く設けた場合、穴と穴との間隔を小さくする必要がある。そのため、コンデンサに設けられたビスまたは心出し手段が干渉し合うこととなる。もし、ビスまたは心出し手段の相対の開き角度αを小さくすれば、その干渉は避けられるが、コンデンサを顕微鏡に取り付けた状態では、その角度が小さいと心出し操作が難しくなり、構成によっては心出し手段が顕微鏡本体と干渉して、心出し操作が不可能になる。
【０００８】
▲２▼  穴と穴との間隔を、従来技術１および２のように、心出し手段の相対の開き角度α（図１２参照）を心出し操作できるように確保して、コンデンサに穴を多く設けるようにする場合、コンデンサの外径を大きくする必要があり、この場合はコンデンサが大きくなってしまう。
▲３▼  従来技術１では、コンデンサに心出しのための板バネが配設されている。穴を多くすると、これと同数の板バネを配設するスペースが必要であり、コンデンサをやはり大きくせざるを得ない。
【０００９】
本発明は、上記従来の問題点に鑑みてなされたもので、請求項１乃至４に係る発明の課題は、コンパクトで心出し操作性が良い光学装置の心出し機構を提供することである。
【００１０】
【課題を解決するための手段】
上記課題を解決するために、請求項１に係る発明の光学装置の心出し機構は、支持台と、該支持台に着脱可能な複数の被心出し部材と、該被心出し部材を所定方向に押圧するように前記支持台上に配設された弾性部材と、該弾性部材の押圧力に抗して前記被心出し部材を動かして心出しし所定位置に保持する心出し手段とを有する光学装置の心出し機構において、前記心出し手段が、前記支持台に配設された複数の間接部材を介して、前記被心出し部材を移動させて、所定位置に保持するように構成されるとともに、互いに隣接する前記被心出し部材の前記間接部材が立体的に交差して配置されていることを特徴とする。
【００１１】
請求項２に係る発明の光学装置の心出し機構は、支持台と、該支持台に設けられた複数の被心出し部材と、該被心出し部材を所定方向に押圧する弾性部材と、該弾性部材の押圧力に抗して前記被心出し部材を動かして心出しし所定位置に保持する心出し手段とを有する光学装置の心出し機構において、互いに隣接する前記被心出し部材の前記心出し手段による心出し方向が、平面的に見て交差していることを特徴とする。
【００１２】
請求項３に係る発明の光学装置の心出し機構は、前記請求項２記載の光学装置の心出し機構において、前記心出し方向が交差した心出し手段は間接部材を備え、この間接部材が立体的に交差して配設されていることを特徴とする。
【００１３】
請求項４に係る発明の光学装置の心出し機構は、前記請求項１乃至３記載の光学装置の心出し機構において、前記心出し手段は、心出し操作を行う操作位置と操作を行わない退避位置を選択的に取り得る一対の操作軸を有し、前記一対の操作軸が退避位置にある状態で前記支持台を移動させることにより、心出しされる被心出し部材を切換え可能であることを特徴とする。
【００１４】
【発明の実施の形態】
以下、具体的な実施の形態について説明する。なお、本発明の実施の形態においては、光学装置として顕微鏡用コンデンサを例にして説明するが、視野絞りや開口絞りなどの心出し調整を行う他の光学装置にも、本発明の光学装置の心出し機構を適用することができる。
【００１５】
（実施の形態１）
図１〜図６は実施の形態１を示し、図１は心出し機構を搭載したコンデンサの図２におけるＡ−Ａ断面図、図２は心出し機構を搭載したコンデンサの上面図、図３は図２におけるＢ−Ｂ断面図、図４は図２におけるＣ−Ｃ断面図、図５は複数の間接部材が立体的に交差している斜視図、図６は変形例の複数の間接部材が立体的に交差している斜視図である。本実施の形態は、光学装置の心出し機構をターレット型コンデンサに搭載した例である。
【００１６】
図１において、コンデンサ本体１１の下部には、丸アリ部１１ａが形成され、この丸アリ部１１ａを用いてコンデンサを図示しない顕微鏡本体に取付けるようになっている。コンデンサ本体１１の中央上部には、回転軸部１１ｂが突設されており、回転軸部１１ｂには、例えばボールベアリングなどの軸受け部品１２を介して、支持台としてのターレット１４が回動自在に取着されている。また、コンデンサ本体１１に、本発明の基本構成でない第１レンズ１６ａが顕微鏡光軸１６上に配置されており、更に、顕微鏡光軸１６上に第２レンズも配置されている。
【００１７】
図２に示すように、コンデンサ本体１１には、心出し手段としての一対の心出し操作部２３Ａ、２３Ｂが、後述するターレット１４に装着される位相差リングスリット１７Ａ〜１７Ｃのような光学素子（被心出し部材）の心出しが可能な一定の開き角度αを形成して配設されている。心出し操作部２３Ａ、２３Ｂは、図３および図４に示すように、互いに同一構造であって、主に、コンデンサ本体１１に螺着された円筒部材２４と、円筒部材２４の内径に摺動自在な操作軸２５と、円筒部材２４と操作軸２５との間に嵌装された圧縮バネ２６とから構成されている。操作軸２５の基端には、ツマミ２５ａが螺着されて、操作軸２５を回動し易いようになっている。操作軸２５の先端には、六角レンチ状の先端部２５ｂが操作軸２５の軸心の図示しない穴に接着固定されている。操作軸２５の中央部には、ツバ２５ｃが形成され、圧縮バネ２６の押圧力を受けて、操作軸２５が基端側に付勢され、通常は、先端部２５ｂがコンデンサ本体１１の内周部１１ａより出っ張ることがないようになっている。また、円筒部材２４の基端側には、キャップ２４Ａが螺着され、操作軸２５の円筒部材２４からの離脱を阻止している。
【００１８】
ターレット１４には、図２に示すように、複数の穴１５ａ〜１５ｃが、ターレット１４と同心円上に穿設されており、図示しないクリック機構によって、ターレット１４の回転停止位置が決められ、各穴１５ａ〜１５ｃが図２に示す位置になるとき、穴１５ａ〜１５ｃの中心が、所定位置としての顕微鏡光軸１６と合致するようになっている。そしてこれらの穴１５ａ〜１５ｃには、例えば、被心出し部材としての位相差リングスリット１７Ａ〜１７Ｃのような光学素子が装着できるようになっている。
【００１９】
また、ターレット１４には、長溝１８ａ〜１８ｆが形成されている。長溝１８ａ〜１８ｆは、穴１５ａ〜１５ｃに対応して、心出し操作部２３Ａ、２３Ｂと同じ開き角度αで、それぞれ２本づつ配置されており、そのうち長溝１８ｂと長溝１８ｃ、長溝１８ｄと長溝１８ｅとが交差するようになっている。これらの長溝１８ａ〜１８ｆには、心出し用の間接部材１９Ａ〜１９Ｆが摺動自在に嵌装できるようになっている。間接部材１９Ａ〜１９Ｆはコの字状に形成され、先端に球面部２０ａ〜２０ｆが凸設されている。その内、間接部材１９Ｂと１９Ｃ、１９Ｄと１９Ｅは、図５に示すように立体的に交差して、ターレット１４に配置されている。すなわち、間接部材１９Ｃ、１９Ｅは間接部材１９Ｂ、１９Ｄと同一構造の部材であるが、間接部材１９Ｂ、１９Ｄとは上下が逆転して、長溝１８ｃ、１８ｅに嵌装されている。図２に示すように、間接部材１９Ａ〜１９Ｆが長溝１８ａ〜１８ｆの長手方向に移動できるようになっており、前進すると、球面部２０ａ〜２０ｆがリングスリット１７Ａ〜１７Ｃの外周面に当接するようになっている。
【００２０】
穴１５ａ〜１５ｃを挟んで、長溝１８ａ〜１８ｆの反対側に、穴１５ａ〜１５ｃに対応して、ターレット１４上に螺着したバネカケ２１Ａ〜２１Ｃを介して、弾性部材としてのねじりコイルバネ２２Ａ〜２２Ｃが配設されている。ねじりコイルバネ２２Ａ〜２２Ｃは、例えば、図１に示すねじりコイルバネ２２Ｂのように、一方のアーム２２Ｂ１がターレット１４に穿設された穴に挿入され、他方のアーム２２Ｂ２が位相差リングスリット１７Ｂの外周面に当接し、ねじりコイルバネ２２Ａ、２２Ｃも同様にして、位相差リングスリット１７Ａ〜１７Ｃを間接部材１９Ａ〜１９Ｆ側に押圧するように配置されている。
【００２１】
また、一対の心出し操作部２３Ａ、２３Ｂの開き角度α（図２参照）に合わせて、ターレット１４の外周面に、長溝１８ａ〜１８ｆに貫通するタップ穴２７ａ〜２７ｆ（図３にてタップ穴２７ｂ、図４にてタップ穴２７ｅを表示、他は図示省略）が穿設されており、このタップ穴２７ａ〜２７ｆに、六角穴付き止めネジからなる調整ビス２８Ａ〜２８Ｆ（図３にて調整ビス２８Ｂ、図４にて調整ビス２８Ｅを表示、他は図示省略）が螺合している。そして、図３および図４に示すように、心出し操作部２３Ａ、２３Ｂの先端部２５ｂが調整ビス２８Ａ〜２８Ｆに対して挿脱し、かつ回動できるようになっている。調整ビス２８Ａ〜２８Ｆの回動により、その先端は、図２に示すように、それぞれ、間接部材１９Ａ〜１９Ｆに当接し、長溝１８ａ〜１８ｆに沿って進退させる。
【００２２】
つぎに、上記構成の光学装置の心出し機構の作用について説明する。例えば、図２に示すように、ターレット１４の穴１５ｂが、顕微鏡光軸１６の位置になるとき、ツマミ２５ａを軸方向に押しこむことにより心出し操作部２３Ａ、２３Ｂの六角レンチ状の先端部２５ｂ（図３、図４参照）を調整ビス２８Ｂ、２８Ｅの六角穴２８Ｂ１，２８Ｅ１に挿入して、調整ビス２８Ｂ、２８Ｅが前進するように回動させると、調整ビス２８Ｂ、２８Ｅの先端が、間接部材１９Ｂ、１９Ｅの後部に当接し、間接部材１９Ｂ、１９Ｅを、その先端の球面部２０ｂ、２０ｅが位相差リングスリット１７Ｂの外周面に当接するまで前進させる。さらに、間接部材１９Ｂ、１９Ｅを前進させると、間接部材１９Ｂ、１９Ｅがねじりコイルバネ２１Ｂの押圧力に抗して、位相差リングスリット１７Ｂを、間接部材１９Ｂ、１９Ｅの前進方向に動かすことができる。
【００２３】
また、心出し操作部２３Ａ、２３Ｂの先端部２５ｂ（図３、図４参照）を、調整ビス２８Ｂ、２８Ｅが後退するように回動させると、調整ビス２８Ｂ、２８Ｅが間接部材１９Ｂ、１９Ｅと離れるので、ねじりコイルバネ２２Ｂの押圧力で、位相差リングスリット１７Ｂが間接部材１９Ｂ、１９Ｅとともに、その後退する方向へ動くようになる。そして、ターレット１４の穴１５ａ、１５ｃが顕微鏡光軸１６の位置になるとき、上述のように、心出し操作部２３Ａ、２３Ｂを使って、位相差リングスリット１７Ａ、１７Ｃを動かすことができる。従って、ターレット１４に穿設された穴１５ａ〜１５ｃが顕微鏡光軸１６の位置に停止したとき、一対の心出し操作部２３Ａ、２３Ｂを利用して、間接部材１９Ａ〜１９Ｆを介して、顕微鏡光軸１６に対する垂直面で位相差リングスリット１７Ａ〜１７Ｃを動かすことができ、顕微鏡光軸１６に対して位相差リングスリット１７Ａ〜１７Ｃを心出しすることができる。
【００２４】
本実施の形態によれば、心出し操作部と位相差リングスリットとの間に立体的に交差した間接部材を、また、位相差リングスリットを間接部材側に押圧するねじりコイルバネを設け、一対の心出し操作部の開き角度を位相差リングスリットの心出しができるようにしたので、ターレット型コンデンサの心出し機構を、心出し操作性がよく、コンパクトに構成することができる。
【００２５】
本実施の形態では、図５に示すように、２つの間接部材を交差させて構成したが、これに限らず、図６に示すように、一方の間接部材に長溝を設け、この長溝に他方の間接部材が摺動するように、立体的に交差させて構成してもよい。
【００２６】
（実施の形態２）
図７および図８は実施の形態２を示し、図７は図２におけるＢ−Ｂ断面に相当する断面図、図８は図７における間接部材と連結部材と調整ビスとの係合状態を示す斜視図である。本実施の形態は、実施の形態１とは間接部材と連結部材と調整ビスとの係合状態が異なり、他の部分は実施の形態１と同一のため、異なる部分のみ説明し、同一の部分の図と説明を省略する。また、図７および図８においても、実施の形態１と同一の部材には同一の符号を付し説明を省略する。
【００２７】
図７において、間接部材１９Ｂと調整ビス７２Ｂとの間には、連結部材７１が係合している。図８に示すように、連結部材７１は、両端に溝が形成された曲げ部材であって、一方の２つの溝７１ａには、間接部材１９Ｂの支柱１９Ｂ１、１９Ｂ２が係合し、他方の溝７１ｂには、調整ビス７２Ｂの溝７２Ｂ１が係合している。間接部材１９Ｃは、間接部材１９Ｂと同一構造の部材であるが、間接部材１９Ｂの配置とは上下を逆転して長溝１８ｃに嵌装され、間接部材１９Ｂと同様に連結部材７１と係合している。調整ビス７２Ｃは、調整ビス７２Ｂと同一構造であって、連結部材７１と係合している。図２に示す間接部材１９Ａ、１９Ｄ〜１９Ｆと、調整ビス２８Ａ、２８Ｄ〜２８Ｆに代わり、調整ビス７２Ｂと同一構造の図示を省略した調整ビス７２Ａ、７２Ｄ〜７２Ｆとの間にも、連結部材７１が配設されて、それぞれ係合している。その他の構成は実施の形態１と同様である。
【００２８】
つぎに、上記構成の顕微鏡の心出し機構の作用について説明する。心出し操作部２３Ａで、調整ビス７２Ｂを前後に移動させると、連結部材７１によって、間接部材１９Ｂが調整ビス７２Ｂと連動して前後に移動する。これと同様に、他の間接部材１９Ａ、１９Ｃ〜１９Ｆと調整ビス７２Ａ、７２Ｃ〜７２Ｆとの間にも、連結部材７１を設けることによって、心出し操作部２３Ａ、２３Ｂを使って、間接部材１９Ａ、１９Ｃ〜１９Ｆを、調整ビス７２Ａ、７２Ｃ〜７２Ｆに連動させることができる。他の部分の作用は、実施の形態１と同様である。
【００２９】
本実施の形態によれば、実施の形態１と同様の効果に加え、ターレットの穴の中に位相差リングスリット等の光学素子を装着してなくても、心出し操作部によって、間接部材を前後に移動させることができるので、操作をさらに便利にすることができる。
【００３０】
（実施の形態３）
図９は実施の形態３を示し、心出し機構を搭載したコンデンサの上面図である。本実施の形態は、光学装置の心出し機構を、スライド型コンデンサに搭載した例である。図９において、実施の形態１と同一の部材には同一の符号を付し説明を省略する。
【００３１】
図９において、スライダ本体９１には、支持台としてのスライダ９２が矢印Ｘ方向に直線移動自在に嵌装されている。スライダ９２には、穴９２ａ、９２ｂが穿設されており、穴９２ａ、９２ｂには、被心出し部材としての光学素子９３Ａ、９３Ｂが装着できるようになっている。スライダ本体９１には、図示しないクリック機構が内蔵され、スライダ９２に装着された位相差リングスリットなどの光学素子９３Ａ、９３Ｂが、顕微鏡光軸１６の位置に停止できるようになっている。また、スライダ９２には、実施の形態１の図５に示したように、立体的に交差した間接部材１９Ａ〜１９Ｄが配設され、実施の形態１と同様に、一定の開き角度βをなして形成された長溝１８ａ〜１８ｄに摺動自在に嵌装されている。また、スライダ９２の穴９２ａ、９２ｂを挟んだ反対側には、ねじりコイルバネ２２Ａ、２２Ｂが、スライダ９２に螺着されたバネ掛け２１Ａ、２１Ｂによって、実施の形態１と同様に配設されている。一方、スライダ本体９１には、心出し操作部２３Ａ、２３Ｂおよび調整ビス２８Ａ、２８Ｂが、実施の形態１と同様に配設されている。
【００３２】
つぎに、上記構成の光学装置の心出し機構の作用について説明する。例えば、図９に示すように、スライダ９２の穴９２ａが、顕微鏡光軸１６の位置になるとき、心出し操作部２３Ａ、２３Ｂの先端部２５ｂ（図示省略）を調整ビス２８Ａ、２８Ｂに挿入して、調整ビス２８Ａ、２８Ｂが前進するように回動させると、調整ビス２８Ａ、２８Ｂの先端が、間接部材１９Ａ、１９Ｃの後部に当接し、間接部材１９Ａ、１９Ｃを、その先端の球面部２０ａ、２０ｃが光学素子９３Ａの外周面に当接するまで前進させる。さらに、間接部材１９Ａ、１９Ｃを前進させると、間接部材１９Ａ、１９Ｃがねじりコイルバネ２２Ａの押圧力に抗して、光学素子９３Ａを、間接部材１９Ａ、１９Ｃの前進方向に動かすことができる。
【００３３】
また、心出し操作部２３Ａ、２３Ｂの先端部２５ｂを、調整ビス２８Ａ、２８Ｂが後退するように回動させると、調整ビス２８Ａ、２８Ｂが間接部材１９Ａ、１９Ｃと離れるので、ねじりコイルバネ２２Ａの押圧力で、光学素子９３Ａが間接部材１９Ａ、１９Ｃとともに、その後退する方向へ動くようになる。そして、スライダ９２の穴９２ｂが顕微鏡光軸１６の位置になるとき、上述の作用と同様に、心出し操作部２３Ａ、２３Ｂを使って、光学素子９３Ｂを動かすことができる。従って、スライダ９２に穿設された穴９２ａ、９２ｂが顕微鏡光軸１６の位置に停止したとき、一対の心出し操作部２３Ａ、２３Ｂを利用して、間接部材１９Ａ〜１９Ｄを介して、顕微鏡光軸１６に対する垂直面で光学素子９３Ａ、９３Ｂを動かすことができ、顕微鏡光軸１６に対して光学素子９３Ａ、９３Ｂを心出しすることができる。
【００３４】
本実施の形態によれば、心出し操作部と光学素子との間に立体的に交差した間接部材を、また、光学素子を間接部材側に押圧するねじりコイルバネを設け、一対の心出し操作部の開き角度を光学素子の心出しができるようにしたので、スライド型コンデンサの心出し機構を、心出し操作性がよく、コンパクトに構成することができる。
【００３５】
なお、上記した具体的実施の形態から次のような構成の技術的思想が導き出される。
【００３６】
（付記）
（１）支持台と、該支持台に設けられた複数の被心出し部材と、該被心出し部材を所定方向に押圧する弾性部材と、該弾性部材の押圧力に抗して前記被心出し部材を動かして心出しし所定位置こ保持する心出し手段とを有する光学装置の心出し機構において、
互いに隣接する前記被心出し部材の前記心出し手段による心出し方向が、平面的に見て交差していることを特徴とする光学装置の心出し機構。
【００３７】
（２）付記（１）記載の心出し機構において、
前記心出し方向が交差した心出し手段は間接部材を備え、この間接部材が立体的に交差して配設されていることを特徴とする。
【００３８】
（３）付記（１）記載の心出し機構において、
前記心出し手段は、心出し操作を行なう操作位置と操作を行なわない退避位置を選択的に取り得る一対の操作軸を有し、
前記一対の操作軸が退避位置にある状態で前記支持台を移動させることにより、心出しされる被心出し部材を切換え可能である。
【００３９】
【発明の効果】
請求項１乃至４に係る発明によれば、心出し手段が、支持台に配設された複数の間接部材を介して、被心出し部材を移動させて、所定位置に被心出し部材を保持するように構成されるとともに、互いに隣接する前記被心出し部材の前記間接部材が立体的に交差して配置されているので、コンパクトで心出し操作性が良い光学装置の心出し機構を提供することができる。
【図面の簡単な説明】
【図１】実施の形態１の心出し機構を搭載したコンデンサの図２におけるＡ−Ａ断面図である。
【図２】実施の形態１の心出し機構を搭載したコンデンサの上面図である。
【図３】実施の形態１の図２におけるＢ−Ｂ断面図である。
【図４】実施の形態１の図２におけるＣ−Ｃ断面図である。
【図５】実施の形態１の複数の間接部材が立体的に交差している斜視図である。
【図６】実施の形態１の複数の間接部材が立体的に交差している変形例の斜視図である。
【図７】実施の形態２の図２におけるＢ−Ｂ断面に相当する断面図である。
【図８】実施の形態２の図７における間接部材と連結部材と調整ビスとの係合状態を示す斜視図である。
【図９】実施の形態３の心出し機構を搭載したコンデンサの上面図である。
【図１０】従来技術１の光学装置の心出し機構の上面図である。
【図１１】従来技術２の光学装置の心出し機構の上面図である。
【図１２】従来技術の光学装置の心出し機構の不具合を示す説明図である。
【符号の説明】
１４  ターレット
１６  顕微鏡光軸
１７Ａ、１７Ｂ、１７Ｃ  位相差リングスリット
１９Ａ、１９Ｂ、１９Ｃ、１９Ｄ、１９Ｅ、１９Ｆ  間接部材
２１Ａ、２１Ｂ、２１Ｃ  ねじりコイルバネ
２３Ａ、２３Ｂ  心出し操作部
【図１】
0004663058.tif 000002
【図２】
0004663058.tif 000003
【図３】
0004663058.tif 000004
【図４】
0004663058.tif 000005
【図５】
0004663058.tif 000006
【図６】
0004663058.tif 000007
【図７】
0004663058.tif 000008
【図８】
0004663058.tif 000009
【図９】
0004663058.tif 000010
【図１０】
0004663058.tif 000011
【図１１】
0004663058.tif 000012
【図１２】
0004663058.tif 000013